(57)【要約】【課題】サプリメントやその他の薬品系、健康食品等の飲食系の、経時変化しやすいカプセル商品に有効に活用されるカプセル商品自動販売機を提供することを目的とする。【解決手段】カプセル商品を収納する商品収納部を備えたカプセル商品自動販売機であって、前記商品収納部には少なくとも内部温度を一定に安定化する温度調整手段と、太陽光が入射した場合の紫外線遮断手段と、湿度の上昇を回避する湿度調整手段とを備え、前記商品収納部にストックしたカプセル内のサプリに悪影響を与えないようにしたことを特徴とするカプセル商品自動販売機。【選択図】図１
2019185628.tif 000002
【特許請求の範囲】
【請求項１】
カプセル商品を収納する商品収納部を備えたカプセル商品自動販売機であって、前記商品収納部には少なくとも内部温度を一定に安定化する温度調整手段と、前記商品収納部の商品確認用の透過窓に設けた太陽光が入射した場合の紫外線遮断手段と、湿度の上昇を回避する湿度調整手段とを備え、前記商品収納部にストックしたカプセル内のサプリ類に悪影響を与えないようにしたことを特徴とするカプセル商品自動販売機。
【請求項２】
前記商品収納部に設けた内部温度を一定に安定化する温度調整手段は、空気調整装置を利用するようにしたことを特徴とする請求項１に記載のカプセル商品自動販売機。
【請求項３】
前記太陽光が入射した場合の紫外線遮断手段が、前記商品収納部の商品確認用の透過窓に紫外線防止フィルムを貼付するか、前記商品収納部の商品確認用の透過窓に使用する樹脂素材に紫外線吸収剤を練込んで紫外線吸収機能を持たせるか、のいずれかから選択するようにしたことを特徴とする請求項１または２に記載のカプセル商品自動販売機。
【請求項４】
前記湿度の上昇を回避する湿度調整手段が、前記商品収納部の開口部に通気性を備えかつ吸湿性のある吸湿性フィルタを配設するか、前記商品収納部の内部に設けた乾燥剤の収納ボックス内に乾燥剤を保持するようにしたことを特徴とする請求項１ないし３のいずれかに記載のカプセル商品自動販売機。
【発明の詳細な説明】
【技術分野】
【０００１】
本発明は、商品などの入ったカプセルのカプセル商品自動販売機に関する。
【背景技術】
【０００２】
商品などの入った複数個のカプセルをケースに収容し、金銭の投入などの所定の操作を行うと、複数個のカプセルの中から無作為にカプセルが選択され、取出口に払い出されるカプセル商品自動販売機が、例えば特開昭５９−２２５５１号公報（特許文献１参照）において示されている。
ちなみに、金銭の投入後にツマミの押下げや回転等の所定の操作を行うのが一般的である。
【０００３】
また、複数個のカプセルの中に含まれたプレミアム商品あるいはその引き換え用のタグなどの入った「特定カプセル」が選択され払い出されると、そのことを購入者に音、光などによって知らせるようにしたものが特開平２００６−２６８２４７号公報（特許文献２参照）や特開平２００７−１２２４０４号公報（特許文献３参照）等に存する。
実用新案登録第３１１３６９３号公報（特許文献４参照）は、職場等の環境に適した健康維持・増進剤、及び健康維持・増進剤を簡便な手段により送出する健康維持・増進剤販売機である。
【先行技術文献】
【特許文献】
【０００４】
【特許文献１】特開昭５９−２２５５１号公報
【特許文献２】特開平２００６−２６８２４７号公報
【特許文献３】特開平２００７−１２２４０４号公報
【特許文献４】実用新案登録第３１１３６９３号公報
【発明の概要】
【発明が解決しようとする課題】
【０００５】
しかしながら、いずれのカプセル商品自動販売機もカプセルの中に充填される商品が経時変化によって影響を受けやすいものであることは通常想定されておらず、カプセル中に充填される商品が経時変化しやすいカプセル商品に対応したカプセル商品自動販売機とはなっていなかった。
【０００６】
本発明のカプセル商品自動販売機は、カプセル中に充填される商品が経時変化しやすいカプセル商品に対応したカプセル商品自動販売機となっており、したがってサプリメントやその他の薬品系、健康食品等の飲食系の、経時変化しやすいカプセル商品に有効に活用されるカプセル商品自動販売機を提供することを目的とするものである。
【課題を解決するための手段】
【０００７】
すなわち、前記目的を達成するために本発明のカプセル商品自動販売機は、カプセル商品を収納する商品収納部を備えたカプセル商品自動販売機であって、前記商品収納部には少なくとも内部温度を一定に安定化する温度調整手段と、前記商品収納部の商品確認用の透過窓に設けた太陽光が入射した場合の紫外線遮断手段と、湿度の上昇を回避する湿度調整手段とを備え、前記商品収納部にストックしたカプセル内のサプリ類に悪影響を与えないようにしたことを特徴とするものである。
【０００８】
本発明のカプセル商品自動販売機において、前記商品収納部に設けた内部温度を一定に安定化する温度調整手段は、空気調整装置を利用するようにしたことをも特徴とするものである。
【０００９】
本発明のカプセル商品自動販売機において、前記太陽光が入射した場合の紫外線遮断手段が、前記商品収納部の商品確認用の透過窓に紫外線防止フィルムを貼付するか、前記商品収納部の商品確認用の透過窓に使用する樹脂素材に紫外線吸収剤を練込んで紫外線吸収機能を持たせるか、のいずれかから選択するようにしたことをも特徴とするものである。
【００１０】
本発明のカプセル商品自動販売機において、前記湿度の上昇を回避する湿度調整手段が、前記商品収納部の開口部に通気性を備えかつ吸湿性のある吸湿性フィルタを配設するか、前記商品収納部の内部に設けた乾燥剤の収納ボックス内に乾燥剤を保持するようにしたことをも特徴とするものである。
【発明の効果】
【００１１】
請求項１のカプセル商品自動販売機は、前記商品収納部に内部温度を一定に安定化する温度調整手段と、太陽光が入射した場合の紫外線遮断手段と、湿度の上昇を回避する湿度調整手段とを備えており、前記商品収納部にストックしたサプリ類に悪影響を与えることがないため、カプセル商品の品質低下を招きにくいカプセル商品自動販売機を提供することが可能となった。
【００１２】
また請求項２のカプセル商品自動販売機は、前記商品収納部に設けた内部温度を一定に安定化する温度調整手段として空気調整装置を利用したので、非常に低コストでカプセル商品の品質低下を招きにくいカプセル商品自動販売機を提供することができる。
【００１３】
請求項３のカプセル商品自動販売機は、前記商品収納部の商品確認用の透過窓に設けた太陽光が入射した場合の紫外線遮断手段が、前記商品収納部の商品確認用の透過窓に紫外線防止フィルムを貼付するか、前記商品収納部の商品確認用の透過窓に使用する樹脂に紫外線吸収剤を練込んで紫外線吸収機能を持たせるか、のいずれかから選択するようにしたので、カプセル商品の品質低下を招きにくいカプセル商品自動販売機を提供することができる。
【００１４】
請求項４のカプセル商品自動販売機は、前記湿度の上昇を回避する湿度調整手段が、前記商品収納部の開口部に通気性を備えかつ吸湿性のある吸湿性フィルタを配設するか、前記商品収納部の内部に設けた乾燥剤の収納ボックス内に乾燥剤を保持するようにしたので、カプセル商品の品質低下を招きにくいカプセル商品自動販売機を提供することができる。
【図面の簡単な説明】
【００１５】
【図１】本発明のカプセル商品自動販売機の第１の実施例を示す概略斜視図である。
【図２】本発明のカプセル商品自動販売機の第２の実施例を示す概略斜視図である。
【発明を実施するための形態】
【００１６】
以下、本発明のカプセル商品自動販売機に係る実施の形態を図面に基いて詳細に説明する。
図１はカプセル商品自動販売機の第１の実施例を示すものであり、本実施例においてはカプセル商品１３を収納する商品収納部１２を備えたカプセル商品自動販売機１１を示している。
本実施例におけるカプセル商品自動販売機１１は、一端側が前記商品収納部１２に接続された商品送出口１４と、コイン投入口１５と、既定のコインが投入された場合に操作可能となる操作具１６とを備えている。
【００１７】
前記第１実施例のカプセル商品自動販売機１１において、前記商品収納部１２内にはその上部に内部温度を一定に安定化するための例えば市販の空気調整装置２１が、また前記商品収納部１２の壁面の適所には防湿フィルタ２３等の湿度の上昇を回避する湿度調整手段等を内蔵した通気口２２が、それぞれ設置されている。
なお、前記湿度の上昇を回避する湿度調整手段とともに、前記商品収納部１２の内部に設けた乾燥剤の収納ボックス２４内に乾燥剤を保持するようにしてもよい。
【００１８】
さらに、前記商品収納部１２の商品確認用の透過窓１２ａに設けた太陽光が入射した場合の紫外線遮断手段としては、前記透過窓１２ａに貼付した紫外線防止フィルム２５とすることができる。
このように紫外線防止フィルム２５を前記透過窓１２ａに貼付することにより、非常に簡便に紫外線遮断手段を適用することができるのである。
【００１９】
また図２はカプセル商品自動販売機の第２の実施例を示すものであり、本実施例においてもカプセル商品３３を収納する商品収納部３２を備えたカプセル商品自動販売機３１を示している。
本実施例におけるカプセル商品自動販売機３１は、一端側が前記商品収納部３２に接続された商品送出口３４と、コイン投入口３５と、既定のコインが投入された場合に操作可能となる操作具３６とを備えている。
【００２０】
前記第２実施例のカプセル商品自動販売機３１において、前記商品収納部３２内にはその上部に内部温度を一定に安定化するための例えば市販の空気調整装置４１が、また前記商品収納部３２の壁面の適所には防湿フィルタ４３等の湿度の上昇を回避する湿度調整手段等を内蔵した通気口４２が、それぞれ設置されている。
なお、前記湿度の上昇を回避する湿度調整手段とともに、前記商品収納部３２の内部に設けた乾燥剤の収納ボックス４４内に乾燥剤を保持するようにしてもよい。
【００２１】
さらに、前記商品収納部３２の商品確認用の透過窓３２ａに設けた太陽光が入射した場合の紫外線遮断手段としては、前記透過窓３２ａを成形するための樹脂に紫外線吸収剤を練り込んだ素材を利用することができる。
このように透過窓３２ａを成形するための樹脂に紫外線吸収剤を練り込んだ素材を利用することにより、非常に有効な紫外線遮断手段を適用することができるのである。
【産業上の利用可能性】
【００２２】
以上の説明から理解できるように、本発明のカプセル商品自動販売機は、前記商品収納部にストックしたサプリ類に悪影響を与えることがないため、カプセル商品の品質低下を招きにくいカプセル商品自動販売機を提供することが可能となった。
本発明のカプセル商品自動販売機は、本発明の要旨を変更しない限り、サプリ類以外のカプセル商品に適用するカプセル商品自動販売機にも応用することができる。
【符号の説明】
【００２３】
１１  カプセル商品自動販売機
１２  商品収納部
１２ａ  透過窓
１３  カプセル商品
１４  商品送出口
１５  コイン投入口
１６  操作具
２１  空気調整装置
２２  通気口
２３  防湿フィルタ
２４  乾燥剤収納ボックス
２５  紫外線防止フィルム
３１  カプセル商品自動販売機
３２  商品収納部
３２ａ  透過窓
３３  カプセル商品
３４  商品送出口
３５  コイン投入口
３６  操作具
４１  空気調整装置
４２  通気口
４３  防湿フィルタ
４４  乾燥剤収納ボックス
【図１】
2019185628.tif 000003
【図２】
2019185628.tif 000004